(57)【要約】【課題】薄型のディスプレイの登場によって画像信号を無線伝送し、ディスプレイの設置場所に自由度や可搬性を与える装置があるが、ディスプレイの大型化によって高解像度の画像信号も無線伝送する要求がでてきた。【解決手段】高解像度の画像を表示装置の画素数に変換する画素数変換手段１０３と複数の低解像度画像圧縮手段１０５〜１０７と圧縮された信号の多重化手段１０８を用いてビットストリームを得、これを無線伝送する。ビットストリームのエラーレートに基づいて、変調方式等を決定し、分離手段１１４で分離し、複数の低解像度画像復号手段１１５〜１１７で復号化した後、合成手段１１８で元の高解像度画像を復元する。【選択図】　図１
2004040594.tif 000002
【特許請求の範囲】
【請求項１】
画像信号が入力される入力手段と、
前記入力手段において入力された画像信号を圧縮する画像圧縮手段と、
前記画像圧縮手段において圧縮された画像信号を送信する送信手段と、
前記送信手段において送信された画像信号を受信する受信手段と、
前記受信手段において受信された圧縮された画像信号を復号する復号手段と、
前記送信手段と前記受信手段との間の伝送におけるエラーレートを検出するエラーレート検出手段と、
前記エラーレート検出手段において検出されたエラーレートに基づいて、前記送信手段と前記受信手段との間の変調方式または前記画像圧縮手段における圧縮レートを制御する制御手段と、
を備えてなることを特徴とする画像信号伝送システム。
【請求項２】
画像信号が入力される入力手段と、
前記入力手段において入力された画像信号を複数の画像に分割する分割手段と、
前記分割手段において分割された複数の画像信号をそれぞれ圧縮する複数の画像圧縮手段と、
前記複数の画像圧縮手段において圧縮された複数の画像信号を送信する送信手段と、
前記送信手段において送信された画像信号を受信する受信手段と、
前記受信手段において受信された複数の圧縮された画像信号を復号する複数の復号手段と、
前記複数の復号手段において復号された画像を合成する合成手段と、
前記送信手段と前記受信手段との間の伝送におけるエラーレートを検出するエラーレート検出手段と、
前記エラーレート検出手段において検出されたエラーレートに基づいて、前記送信手段と前記受信手段との間の変調方式または前記複数の画像圧縮手段における圧縮レートを制御する制御手段と、
を備えてなることを特徴とする画像信号伝送システム。
【請求項３】
前記送信手段および前記受信手段において送受信される信号は、前記画像圧縮手段において圧縮された複数の画像を多重してなることを特徴とする請求項２に記載の画像信号伝送システム。
【請求項４】
前記画像信号の画素数を表示装置の画素数に応じて変換する画素数変換手段を備え、
前記画素数変換手段は、前記入力手段において入力された画像信号の画素数を変換し、前記分割手段に出力することを特徴とする請求項２または３に記載の画像信号伝送システム。
【請求項５】
前記分割された画像信号は、隣り合う分割された画像信号と重複する部分を持つことを特徴とする請求項２ないし４のいずれかに記載の画像信号伝送システム。
【請求項６】
前記合成手段は、隣り合う画像との重複部分について、いずれかの画像の端部を切り捨てて合成することを特徴とする請求項５に記載の画像信号伝送システム。
【請求項７】
前記複数の復号手段に代えて、入力される画像信号を処理可能な１個の高解像度用復号手段を用いることを特徴とする請求項２ないし６のいずれかに記載の画像信号伝送システム。
【請求項８】
前記制御手段は、送信する画像信号の画像の状態によって、それぞれの画像圧縮手段における圧縮レートを制御することを特徴とする請求項２ないし７のいずれかに記載の画像信号伝送システム。
【請求項９】
前記複数の画像圧縮手段におけるそれぞれの圧縮レートが異なるとき、前記複数の復号手段の復号のタイミングを制御するタイミング制御手段を備えることを特徴とする請求項８に記載の画像信号伝送システム。
【発明の詳細な説明】
【０００１】
【発明の属する技術分野】
本発明は、画像信号を圧縮して伝送し、これを復号表示するシステムに係り、特に高解像度の画像信号を低解像度用の圧縮手段を用いて圧縮伝送し、元の高解像度の画像信号を復号して表示可能とする技術に関する。
【０００２】
【従来の技術】
デジタル放送など画像の圧縮技術を用いて伝送レートに制限のある伝送路で効率良く情報を伝送するシステムが実用化されている。これらは、デジタル放送に限らずブロードバンド化したインターネットのアプリケーションや、ＤＶＤやＨＤＤなどの蓄積メディアへの画像保存などでも応用されている。
【０００３】
この技術では伝送路や記録速度等に応じて、画像の圧縮率をそれぞれ定めており、インターネット系では、ＶＴＲ並みの画質、蓄積メディアでは、標準テレビ並みの画質で運用されていることが多い。ＢＳデジタル放送に代表される放送系では、広帯域な伝送系の利用が可能であるため、ハイビジョン画質での画像伝送が可能となっており、高品質の音声と共に品質優先のサービスが提供されている。
【０００４】
また、ＨＤＤやＤ−ＶＨＳ、家庭用のムービー等でもＭＰＥＧを用いた圧縮技術を採用しており、これらはアナログ放送を記録するために、ＭＰＥＧのコーデックＬＳＩを用いて圧縮記録し、記録時間の長時間化を図っている。デジタル放送の受信機では、ハイビジョンレベルの圧縮画像を復号するためのデコーダが開発され搭載されているが、これはデジタル放送の受信専用であり、基本的にデコード機能のみの製品となっている。
【０００５】
一方、ディスプレイ技術の進展に伴い、ＰＤＰ（Ｐｌａｓｍａ　Ｄｉｓｐｌａｙ　Ｐａｎｅｌ）や大型液晶テレビなどが製品化され、薄型のテレビが徐々に家庭内に普及しつつある。これらの製品は、薄型のために、家庭内での置き場所を選ばないという特徴を持っている。従がって、モニタと放送受信機を別筐体にしているものが多い。その中には、テレビチューナやインターネット接続機能を備え、受信画面情報を無線伝送し液晶モニタ部で表示する製品もある。これらにより、部屋の受信環境と無関係にモニタの設置場所を選択することができ、場合によっては、モニタを持ち歩くことも可能である。
【０００６】
なお、関連する画像伝送の先行技術としては、特開平１０−１０８１７５号公報、特開平６−１３３２８６号公報、特開平８−４６９６１号公報、特開平９−１８８７８号公報、特開２０００−３２４４８９号公報、特開平２０００−１３８９１１号公報に開示がある。
【０００７】
【発明が解決しようとする課題】
図３において、３０１はテレビ放送やインターネットからの情報を受信処理する情報受信システムであり、３０２は、テレビ放送波をアンテナから、あるいはインターネット等ネットワークからの情報信号を受信する放送／ネットワーク受信部、３０３は前記受信処理システム３０２全体を制御するシステム制御部１、３０４は前記放送／ネットワーク受信部３０２で受信した情報からグラフィック画面やユーザインターフェース用のＯＳＤ（オンスクリーンディスプレイ）画面を作成するＯＳＤ／グラフィック生成部、３０５はテレビ映像等と前記グラフィック画面やＯＳＤ画面を合成する合成部、３０６は画像の情報量を圧縮する画像圧縮部、３０７は無線送信部、３０８は送信アンテナである。また、３０９は表示システム部であり、３１０は表示システム部全体を制御するシステム制御部２、３１１は受信アンテナ、３１２は無線受信部、３１３は画像復号部、３１４は表示モニタである。
【０００８】
図３において、インターネットから得たＷｅｂ情報等は、前記ＯＳＤ／グラフィック生成部３０４にて表示画像が作成される。また、アンテナから受信したテレビ放送波は放送／ネットワーク受信部３０２で復調され映像が生成される。テレビ操作のユーザインターフェース画面なども、前記ＯＳＤ／グラフィック生成部３０４にて作成され、これらは前記合成部３０５で合成し、ユーザに提供する画像が構成される。図３のシステムは、この画像を離れた別の場所にある表示装置に映すことを目的としているため、無線の伝送路で送信可能な情報量に圧縮する。これを行なうのが前記画像圧縮部３０６であり、圧縮された信号は前記無線送信部３０７を経て前記アンテナ３０８より送信される。一方、前記表示システム部３０９は前記アンテナ３１１にて受信した信号を、前記画像復号部３１３で前記画像圧縮部３０６の圧縮方式に対応して復号し元の画像情報を復元する。これを前記モニタ３１４にて表示することにより、表示装置の設置場所を選ばない受信システムが成立する。通常、図３のシステムで利用される画像の圧縮アルゴリズムは、デジタル放送等で実績のあるＭＰＥＧ技術、その中でも標準解像度のテレビ信号を圧縮／復号するのに適したＭＰ＠ＭＬ（メインプロファイル＠メインレベル）というレイヤの技術が利用されている。また、無線技術も標準解像度のテレビ信号をＭＰＥＧアルゴリズムで圧縮した３〜６Ｍｂｐｓ程度の情報量を伝送可能なものが、低価格で利用可能となっている。
【０００９】
図３の技術を採用することにより、薄型のディスプレイを自由に持ち歩くことや、設置場所を選ばずに壁掛けタイプの様なインテリア性の高いテレビを利用することが可能となる。
【００１０】
図３に示した表示装置の例は、壁掛けテレビや持ち歩き自由なテレビというアプリケーションを実現する上で非常に有効である。一方、デジタル放送が普及し始め、特にＢＳデジタル放送では主にハイビジョン映像での放送を行なっているため、標準解像度のテレビ信号の無線伝送では、全てのコンテンツを忠実に再現して視聴するのが困難になってきている。
【００１１】
この課題は、画像圧縮のアルゴリズムとして標準解像度に対応したＭＰＥＧ２ＭＰ＠ＭＬから、ＢＳデジタル放送のハイビジョン映像で用いられているＭＰＥＧ２　ＭＰ＠ＨＬ（メインプロファイル＠ハイレベル）レイヤの技術に置きかえることや、無線伝送についても３０Ｍｂｐｓ程度の伝送が可能な規格を利用することで実現することができる。
【００１２】
しかしながら、Ｄ−ＶＨＳへハイビジョンを記録するのは、放送局側で圧縮されたコンテンツだけであり、ムービーやアナログ放送のＤ−ＶＨＳへの記録には、ハイビジョンクラスの画像を圧縮する必要性がない。このため、現状では家庭用機器向けたハイビジョンクラスの画像圧縮手段は提供されていない。同様に高速の情報転送レートを持つ無線伝送も、コストの問題が大きい。
【００１３】
このような事情から無線伝送を高速化し、ハイビジョンレベルの画像を薄型テレビへ供給する安価な仕組みは、まだ提供されていない。一方では、薄型テレビの大型化、高解像度化が進んでいるため、無線でハイビジョン映像を伝送する仕組みを安価に提供する必要性がある。
【００１４】
【課題を解決するための手段】
上記課題は、請求項１のような構成とすることによりハイビジョン映像を安価に無線で伝送することができる。
【００１５】
【発明の実施の形態】
図１に本発明の実施例を示す。図１において、１０２は画像生成部、１０３は前記画像生成部からの画像の画素数を変換する画素数変換部、１０４は画像を分割する画像分配部、１０５，１０６，１０７はそれぞれ標準解像度の画像を圧縮するＮ個の標準画像圧縮部、１０８は画像圧縮されたＮ個の信号を多重して一つの信号列とする多重化部、１０９は多重化された信号を無線信号として送出する無線信号送信部、１１０は送信アンテナ、１１１は各部を制御するシステム制御部１であり、これらから画像を圧縮した上無線信号として送信する画像情報圧縮送信部１００が構成される。
【００１６】
また、１１２は受信アンテナ、１１３は無線信号受信部、１１４は前記無線信号受信部１１３の出力信号を複数の圧縮された信号に分離する分離部、１１５、１１６、１１７はそれぞれ圧縮された画像信号を復号する標準画像復号部、１１８は前記複数の標準画像復号部からの信号を合成する画像合成部、１１９は合成された画像を表示する高解像度モニタ、１２０は各部を制御するシステム制御部２であり、これらから画像情報復号表示部１０１が構成される。
【００１７】
本実施形態では、受信したテレビ画像や、それにメニューなどのＯＳＤ信号を合成した画像、あるいはインターネット接続により取得したＷｅｂ情報の画像やＰＣアプリケーションの画像などを前記画像生成部１０２で生成する。前記画像生成部１０２で生成される画像は、デジタル放送等の場合、ハイビジョン番組では１９２０×１０８０の画素数であり、またＰＣアプリケーションでも高解像度化し１６００×１２００等の表示も可能になっている。ここでは前記高解像度モニタ１１９の解像度を１２８０×１０８０と仮定する。この場合前記画素数変換部１０３はフィルタ等を用いて前記画像生成部１０２の画素数を前記高解像度モニタ１１９の画素数に変換する。変換された画素数の画像と前記標準画像圧縮部１０５、１０６、１０７の入力可能画素数から前記画像分配部１０４での画像の分割数を規定することが可能となる。
【００１８】
図２に画像を分割する例を示す。図２（ａ）は本実施形態で例としている前記高解像度モニタ１１９の画素数を示す。また、図２（ｂ）は、前記標準画像圧縮部１０５乃至１０７の入力画素数を示す。図２（ｃ）は、４個の標準画像圧縮部を用いてそれぞれ四隅の画像を圧縮した場合の分割した画面の重なり具合を示す。通常入手可能な画像圧縮ＬＳＩ等は、標準解像度に対応しており、横方向に７２０画素、縦方向に５７６画素までの画像を圧縮できるものが多い。したがって、本実施の形態で示す高解像度モニタの四隅をそれぞれ取り出して圧縮した場合、お互いに重なり合う部分ができる。画像の圧縮はマクロブロックという特定の画素数でできた矩形を単位として扱われ、そのマクロブロック毎に画像の動きを検出するため、画像の端部では歪みが発生しやすくなる。本実施の形態では、分割した画像を再度前記画像合成部１１８で繋ぎあわせるため、継ぎ目に歪みが多いと再生画像の品質に問題が起こる。この歪みを避けるために、重なりあった画素数に応じて動きベクトル量を調整した圧縮方法を取り、前記画像合成部１１８では、重なり部分で画像の端部とならない側の分割画面のマクロブロックを抽出するように制御する。
【００１９】
前記複数の標準画像圧縮部１０５乃至１０７において得られた圧縮データは、例えばＴＳ（トランスポートストリーム）と呼ばれるパケットとして取り出すことができる。前記多重化部１０８ではこれを時間軸多重して１本のビットストリームとする。前記標準画像圧縮部１０５等で圧縮された画像が例えば５Ｍｂｐｓであれば、４個の圧縮データが多重化されて合計２０Ｍｂｐｓのビットストリームが出来上がる。これは、高速無線通信の規格範囲内で十分に送ることができるデータレートである。また、高速無線通信のデバイスを用いることが困難であれば、前記多重化部１０８では２画面分を多重化した２本のビットストリームを取り出し、低速の無線送信部を２個設けることによって１０Ｍｂｐｓのデータ転送とすることも可能である。
【００２０】
前記画像情報復号表示部１０１は、受信したストリームを前記分離部１１４で前記複数の標準画像圧縮部１０５などに対応した圧縮データに分離し、それぞれ前記標準画像復号部１１５乃至１１７へ供給して元の画像を復元する。前記画像合成部１１８では、既に説明したように、分割した画像の重なり部分では端部とならないデータを抽出することで、品質を損なわずに高解像度の画像を復元することが可能となる。
【００２１】
以上説明したように、本発明実施の形態においては、高価な画像圧縮装置を用いることなく、一般に入手可能である安価な画像圧縮装置を複数用いることで、ハイビジョンレベルの解像度の画像を無線伝送することが可能となり、壁掛けテレビや移動可能な薄型のテレビをハイビジョン対応とすることが可能となる。
【００２２】
次に本発明の他の実施形態を図４を用いて説明する。図４は図１の画像情報復号表示部１０１を改良したものであり、対応する画像情報圧縮送信部１００は図１と同じである。図４において４０１は高解像度画像復号部であり、その他は前記画像情報復号表示部１０１と同じである。図４において前記高解像度画像復号部４０１は、所謂ハイビジョン対応の復号装置であり、その能力は標準解像度の圧縮された画像を４個程度同時に復号可能である。従がって、本発明実施の形態においては、前記分離部１１４において分離された４つの標準解像度の圧縮データを同時に前記高解像度画像復号部４０１に入力し、復号させるものである。復号された画像は前記画像合成部１１８において重なり部分の処理を図１の説明と同様に行ない１つの高解像度画像として出力される。また前記高解像度画像復号部４０１がグラフィックス処理部を持つ場合には、前記画像合成部１１８での作業をグラフィックス処理部で行なうことも可能である。
【００２３】
本発明実施の形態では、無線信号を受信して表示するサイドに複数の画像復号装置を用いる必要がなく、コスト面で有利になる可能性がある。
【００２４】
次に本発明の他の実施の形態を示す。本実施形態の説明は、図５を用いて説明する。図５は基本的に図１の画像情報圧縮送信部１００の構成と同じであるが、各標準画像圧縮部１０５乃至１０７での圧縮レートを制御する圧縮レート制御部５０１が追加されている。複数の標準画像圧縮部１０５乃至１０７は、分割した画面をそれぞれ圧縮し、前記多重化部１０８で１本または複数のビットストリームに変換する。この場合ビットストリームの情報レートは、前記無線送信部１０９で伝送可能な情報レートに収まるように設計される。例えば、前記無線送信部で、２０Ｍｂｐｓの伝送レートを確保可能な場合には、４個の標準画像圧縮部（Ｎ＝４の場合）でそれぞれ５Ｍｂｐｓ以内の情報レートで圧縮画像を得るように設定される。この場合は、各分割された画面の圧縮のしやすさに関しては考慮されていない。
【００２５】
本願で提供するシステムは、前記画像生成部１０２で生成する画像は、例えばデジタル放送等の場合、一度圧縮／復号された映像である。従がって、前記標準画像圧縮部１０５乃至１０７において再度圧縮することによって、画像の品質を劣化させる可能性がある。これはＭＰＥＧに代表される画像圧縮方式は非可逆という性質を持っているため１００％元の画像を復元できないことに起因する。この劣化を最小限とするために、図５では、新たに前記圧縮レート制御部５０１を用い、前記標準画像圧縮部１０５乃至１０７での画像圧縮の難易度情報を共有し、例えば動きの多い画像を扱っている標準画像圧縮部に多くの情報レートを割り当てる処理を行なう。情報レートの割当ては、前記無線送信部１０９の送信可能な情報レートに依存するが、前記例と同様に最大が２０Ｍｂｐｓと仮定すると、ある時間帯では４つの標準画像圧縮部のうちの３つが４Ｍｂｐｓのレートに圧縮し、残りの１つが８Ｍｂｐｓで圧縮するという状態に制御することができる。また、前記圧縮レート制御部５０１は、各標準画像圧縮部１０５乃至１０７での画像圧縮速度が異なるため、前記多重化部１０８に対して復号側で提示するタイミング信号を挿入する制御も行ない複数の画像の同時提示制御を可能としている。
【００２６】
本発明実施の形態によれば、画像圧縮によって劣化する画像の品質を最小限に食い止めることが可能であり、高画質なシステムを提供することができる。また、特に前記無線送信部１０９の送信可能なレートが１０Ｍｂｐｓ程度であり、１つのビットストリームに多重して伝送する場合は、高解像度の映像を提供する上限の情報レートであり、本技術の適用が画像品質に大きく影響すると考えられる。
【００２７】
図６に本発明実施の形態の他の例を示す。図６は基本的に図１に示すシステムにおける画像情報復号表示部１０１を改良したものであり、前記画像合成部１１８を通じて前記標準画像復号部１１５乃至１１７を制御するタイミング制御部６０１を設けている。前記標準画像圧縮部１０５乃至１０７で圧縮された情報レートが異なる場合、前記標準画像復号部１１５乃至１１７にて復号するための処理時間に差ができる。前記画像合成部１１８がバッファメモリを含み各標準画像復号部１１５乃至１１７からの画像を一時的に蓄えて合成することで解決可能であるが、使用するメモリ容量を削減するため、前記タイミング制御部６０１は前記標準復号部１１５乃至１１７に対して、前記画像合成部１１８を通じて画像の一部ずつを取り出すためのリクエスト信号を出し、例えば１ラインずつ前記画像合成部１１８にて合成して表示することが可能である。
【００２８】
本発明実施の形態によれば、画像情報復号表示部１０１の構成を簡単化することができ、安価なシステムを提供することが可能となる。
【００２９】
図７に本発明実施の形態の他の例を示す。図７は基本的に図１に示すシステムと構成は同じであるが、画像情報圧縮送信部１００と画像情報復号表示部１０１の間の受信環境の変化に対応できる構成としている。例えば、持ち歩き自由なテレビの場合等は、その受信状態は、無線送信部１０９と無線受信部１１３との物理的な距離や、障害物の有無などのモニタの使用環境により変化するものである。従って、これらの環境を考慮した上で、ハイビジョン映像を視聴するのに最適な無線送信部１０９と無線受信部１１３との無線伝送の変調方式、伝送レート、または、画像圧縮における圧縮レートにて伝送を行なう必要がある。
【００３０】
かかる変調方式および圧縮レートを決定するために、無線受信部１１３又は標準画像復号部１１５乃至１１７において、エラーレートを検出する機能を加えることで、受信された情報のエラーレートを検出する。もちろん、図示しないが、エラーレート検出のための構成を別途設けてもよい。ここでは、送受信する対象が映像であるため、多少のエラーが検出されても再送受信する必要はない。どの程度のエラーレートまでを許容するのかは予め設定しておく必要がある。システム制御部２（１２０）は、検出されたエラーレートおよび許容されるべきエラーレートに基づき送受信における変調方式あるいは圧縮レートを決定する。決定においては、エラーレートの検出を複数回行いその結果をフィードバックすることにより、適切な変調方式および圧縮レートに近づけるようにしてもよい。そして、決定された変調方式または圧縮レートを無線受信部１１３から無線送信部１０９に伝送する。ここでは、便宜的に無線受信部１１３および無線送信部１０９とした名称を用いているが、それぞれに送受信の機能を持たせればよい。
【００３１】
システム制御部２（１２０）からの変調方式および圧縮レートの情報を受け、システム制御部１（１１１）は、標準画像圧縮部１０５乃至１０７に対し圧縮レートを指示する。もちろん、図５における圧縮レート制御部５０１のような構成を設けてもよい。また、図示しないが変調方式についても無線送信部１０９に指示をすることができる。
【００３２】
なお、システム制御部２（１２０）にて、変調方式および圧縮レートを決定することとしたが、システム制御部２（１２０）からの必要な情報を受け、システム制御部１（１１１）において変調方式および圧縮レートを決定してもよい。
【００３３】
上記の変調方式と画像圧縮における圧縮レートについてはシステム制御部１（１１１）またはシステム制御部２（１２０）は、それぞれ単独で制御してもよいし、互いに関連をつけて制御してもよい。
【００３４】
本発明実施の形態については、画像の分割を行なわないような送受信システムについても適用でき、様々な使用環境においても、安定した伝送を行なうことができる安価なシステムを提供することが可能となる。
【００３５】
【発明の効果】
本発明によれば、普及が進みつつある薄型テレビなど設置場所を自由に選択可能なシステムにおいて、ハイビジョンクラスの高解像度の画像を無線通信技術を用いて送受信することが安価に提供可能となる。
【図面の簡単な説明】
【図１】本発明実施の形態の一例を示すブロック図
【図２】表示手段の画素数と圧縮手段の画素数の関係を示す図
【図３】情報受信のシステムの一例を説明するブロック図
【図４】本発明実施の形態の他の一例を示すブロック図
【図５】本発明実施の形態の他の一例を示すブロック図
【図６】本発明実施の形態の他の一例を示すブロック図
【図７】本発明実施の形態の他の一例を示すブロック図
【符号の説明】
１００…画像情報圧縮送信部、１０１…画像情報復号表示部、１０２…画像生成部、１０３…画素数変換部、１０４…画素分配部、１０５、１０６、１０７…標準画像圧縮部、１０８…多重化部、１０９…無線信号送信部、１１０…送信アンテナ、１１１…システム制御部１、１１２…受信アンテナ、１１３…無線信号受信部、１１４…分離部、１１５、１１６、１１７…標準画像復号部、１１８…画像合成部、１１９…高解像度モニタ、１２０…システム制御部２、３０１…情報受信システム、３０２…放送／ネットワーク受信部、３０３…システム制御部１、３０４…ＯＳＤ／グラフィック生成部、３０５…合成部、３０６…画像圧縮部、３０７…無線送信部、３０８…送信アンテナ、３０９…表示システム、３１０…システム制御部２、３１１…受信アンテナ、３１２…無線受信部、３１３…画像復号部、３１４表示モニタ、４０１…高解像度画像復号部、５０１…圧縮レート制御部、６０１…タイミング制御部
【図１】
2004040594.tif 000003
【図２】
2004040594.tif 000004
【図３】
2004040594.tif 000005
【図４】
2004040594.tif 000006
【図５】
2004040594.tif 000007
【図６】
2004040594.tif 000008
【図７】
2004040594.tif 000009